(57)【要約】      （修正有）【課題】構造が簡素で、容易に組立てることができる工具用キャビネットの嵌合式引き出しハンドル構造を提供する。【解決手段】嵌合式引き出しハンドル構造は、少なくとも１つの引き出し１１と、少なくとも１つのハンドル２０と、少なくとも１つの保護パッド３０とを備える。引き出し１１は、前板及び２つの側板を有する。ハンドル２０は、引き出しの結合部に嵌合され、金属プレス成形により長形板体に一体成形される。保護パッド３０は、硬質樹脂材料からなり、ハンドルの適宜な箇所に分離可能に取り付けられるとともに、ハンドルの外表面を覆う被覆面３１を有する。被覆面の適宜な箇所には、くりぬき部３２が形成される。くりぬき部の面積は、保護パッドの表面積より小さい。くりぬき部３２は、ユーザが識別し易いように文字・模様の形状に形成されている。【選択図】図１
0003196051.tif 000002
【実用新案登録請求の範囲】
【請求項１】
少なくとも１つの引き出しと、少なくとも１つのハンドルと、少なくとも１つの保護パッドと、を備えた嵌合式引き出しハンドル構造であって、
前記引き出しは、前板及び２つの側板を有し、前記前板の頂部は、前記側板より高く、かつ結合部を有し、中空状の工具用キャビネット内に可動自在に配置され、
前記ハンドルは、前記引き出しの前記結合部に嵌合され、金属プレス成形により長形板体に一体成形され、
前記保護パッドは、硬質樹脂材料からなり、前記ハンドルの適宜な箇所に分離可能に取り付けられるとともに、前記ハンドルの外表面を覆う被覆面を有し、前記被覆面の適宜な箇所には、くりぬき部が形成され、前記くりぬき部の面積は、前記保護パッドの表面積より小さく、前記くりぬき部は、ユーザが識別し易いように文字・模様の形状に形成されていることを特徴とする嵌合式引き出しハンドル構造。
【請求項２】
前記ハンドルは、第１の固定片及び第２の固定片が延びて形成された挟持構造を内面に有することを特徴とする請求項１に記載の嵌合式引き出しハンドル構造。
【請求項３】
前記第１の固定片の末端には、垂直に折り曲げられた第１のフック部が延設され、
前記第２の固定片の末端には、垂直に折り曲げられた第２のフック部が延設され、
前記第１のフック部と前記第２のフック部との間には、適宜な距離で間隔があけられた長孔状のカシメ固定孔が形成されていることを特徴とする請求項２に記載の嵌合式引き出しハンドル構造。
【請求項４】
複数のリベットをさらに備え、
前記リベットのそれぞれは、前記引き出しの前記結合部に対応し、前記カシメ固定孔に螺着されると、前記第１のフック部及び前記第２のフック部が前記リベットのそれぞれにより係止され、前記カシメ固定孔に位置決めされることを特徴とする請求項３に記載の嵌合式引き出しハンドル構造。
【請求項５】
前記引き出しの前記結合部の頂縁には、折り曲げ部が水平に延設され、
前記ハンドルの頂縁には、垂直に折り曲げられた第１のストッパ部が延設され、
前記第１のストッパ部の内縁面は、前記引き出しの前記折り曲げ部の頂面に当接されることを特徴とする請求項１に記載の嵌合式引き出しハンドル構造。
【請求項６】
前記ハンドルの前記第１のストッパ部から離れた他端には、第２のストッパ部が延設されていることを特徴とする請求項５に記載の嵌合式引き出しハンドル構造。
【請求項７】
前記保護パッドの前記被覆面の頂縁及び底縁には、第１の挟持部及び第２の挟持部がそれぞれ形成され、
前記第１の挟持部の末端には、折り曲げられた第１の係合部が延設され、
前記第２の挟持部の末端には、折り曲げられた第２の係合部が延設され、
前記保護パッドが前記ハンドル上に取り付けられると、前記第１の係合部及び前記第２の係合部が前記ハンドルの前記第１のストッパ部及び前記第２のストッパ部にそれぞれ係合されて前記ハンドルが挟持されることを特徴とする請求項６に記載の嵌合式引き出しハンドル構造。
【請求項８】
前記ハンドルの適宜な箇所には、位置決め孔が形成され、
前記保護パッドの内面には、前記位置決め孔に対応するように位置決め凸部が突設され、
前記位置決め凸部は、前記ハンドルの前記位置決め孔に嵌合可能であることを特徴とする請求項１に記載の嵌合式引き出しハンドル構造。
【考案の詳細な説明】
【技術分野】
【０００１】
本考案は、工具用キャビネットの引き出しハンドル構造に関し、特に、嵌合式立体標示構造を有する嵌合式引き出しハンドル構造に関する。
【背景技術】
【０００２】
一般の工具用キャビネット、飼料用キャビネットなどのキャビネットは、階層的かつ上下に配列された引き出しを有する。引き出しのハンドルには金属材料構造が採用され、冬の季節又は乾燥した環境下で使用した場合、静電気が発生し易く、ユーザが素手でハンドルに直接触れて引き出しを閉じる際、静電気によりユーザが怪我をしたり不快に感じたりし、人体に悪影響を与えることがあった。また、キャビネットの外表面には、消費者が識別し易いように、製品の名称その他の情報が記載された印刷層が形成されるか、前述の情報が記載されたラベルが貼着されているが、印刷層又はラベルが外部に露出されて耐磨耗性が低いため、暫く使用すると磨耗したり剥がれたりして表示が不鮮明となり、見た目が悪くなる虞があった。
【考案の概要】
【考案が解決しようとする課題】
【０００３】
本考案の第１の目的は、文字、模様又は数字を工具用キャビネットに目立つように表示する嵌合式引き出しハンドル構造を提供することにある。
本考案の第２の目的は、ユーザがハンドルを素手で直接触って引き出しを閉める際、静電気により不快になることを防ぐ嵌合式引き出しハンドル構造を提供することにある。
本考案の第３の目的は、組立てが容易で、組立て時間が短い嵌合式引き出しハンドル構造を提供することにある。
【図面の簡単な説明】
【０００４】
【図１】図１は、本考案の一実施形態に係る嵌合式引き出しハンドル構造を示す斜視図である。
【図２】図２は、図１の分解斜視図である。
【図３】図３は、図１の引き出しと、そのハンドルとを示す斜視図である。
【図４】図４は、図３の線Ａ−Ａに沿った断面図である。
【図５】図５は、図４の部分拡大図である。
【図６】図６は、図３のハンドルを示す部分拡大図である。
【図７】図７は、図６の線Ｂ−Ｂに沿った断面図である。
【図８】図８は、図３の分解斜視図である。
【図９】図９は、図８の保護パッドを示す側面図である。
【図１０】図１０は、図８のハンドルを示す側面図である。
【考案を実施するための形態】
【０００５】
以下、本考案の実施形態について図に基づいて説明する。なお、これによって本考案が限定されるものではない。
【０００６】
まず、図１及び図２を参照する。図１及び図２に示すように、本考案の一実施形態に係る嵌合式引き出しハンドル構造は、複数の引き出し１１を含む。各引き出し１１は、上下に配列されて工具用キャビネット１０中に設置されるとともに、ハンドル２０をそれぞれ有する。
【０００７】
工具用キャビネット１０は、中空状の箱型キャビネットであり、２つの内壁面１０１に少なくとも２つのガイドレール（図示せず）が互いに対をなして取り付けられている。工具用キャビネット１０内には、上下に配列された複数の引き出し１１が収容されている。各引き出し１１は、前板１１１と、２つの側板１１２と、後板１１５と、底板１１６とを有する。前板１１１は、各側板１１２から突出された結合部１１３を頂部に有する。結合部１１３の頂縁には、折り曲げ部１１４が水平に延設され、箱体の２つの側板１１２の外壁面には、スライドレール１２がそれぞれ設けられている。スライドレール１２は、ガイドレールに対応して嵌合され、工具用キャビネット１０内に引き出し１１が可動自在に設置されている。
【０００８】
ハンドル２０は、引き出し１１の結合部１１３に嵌合され、金属プレス成形により長形板体に一体成形されている。ハンドル２０は、外表面が弧形フック状を呈し、適宜な箇所に位置決め孔２６を有する。ハンドル２０の頂縁には、垂直かつ下向きに折り曲げられた第１のストッパ部２４が延設されている。ハンドル２０の第１のストッパ部２４から離れた他端には、第２のストッパ部２５が延設されている（図１０参照）。ハンドル２０の内面と、引き出し１１の結合部１１３とが接触される側は、第１の固定片２１及び第２の固定片２２が延びて形成された挟持構造を有する。第１の固定片２１の末端には、垂直に折り曲げられた第１のフック部２１１が延設されている。第２の固定片２２の末端には、垂直に折り曲げられた第２のフック部２２１が延設されている。第１のフック部２１１と第２のフック部２２１との間には、適宜な距離で間隔があけられた長孔状のカシメ固定孔２３が形成されている。
【０００９】
保護パッド３０は、ハンドル２０の外表面を覆う被覆面３１を有する。被覆面３１の頂縁及び底縁には、第１の挟持部３３及び第２の挟持部３５がそれぞれ形成されている。第１の挟持部３３の末端には、折り曲げられた第１の係合部３３１が延設されている。第２の挟持部３５の末端には、折り曲げられた第２の係合部３５１が延設されている。保護パッド３０の内面には、ハンドル２０の位置決め孔２６に対応するように位置決め凸部３４が突設されている（図９参照）。保護パッド３０がハンドル２０上に取り付けられると、第１の係合部３３１及び第２の係合部３５１がハンドル２０の第１のストッパ部２４及び第２のストッパ部２５にそれぞれ係合されてハンドル２０が挟持されるとともに、保護パッド３０の位置決め凸部３４がハンドル２０の位置決め孔２６中に対応して嵌合され、堅牢に位置決めされる（図６及び図７参照）。ここで保護パッド３０は、硬質樹脂材料からなる非導電体であるため、ユーザが素手でハンドル２０を触って引き出しを閉めるときでも、静電気により不快となることを防ぎ、ユーザは快適に使用することができる。
【００１０】
被覆面３１の適宜な箇所には、くりぬき部３２が形成されている。くりぬき部３２の面積は、保護パッド３０の表面積より小さい。くりぬき部３２には、ユーザが識別できるように文字・模様が形成され（図５参照）、文字、模様又は数字が工具用キャビネット１０に目立つように表示されている。そのため、本考案は識別性に優れ、ユーザはくりぬき部３２により工具用キャビネット１０に関する情報を得ることができるため、ユーザは迷わずに便利に使用することができ、ユーザのニーズを満たすことができる。
【００１１】
図３〜図５を参照する。図３〜図５に示すように、ハンドル２０が引き出し１１に取り付けられると、まず、ハンドル２０の第１のストッパ部２４の内縁面が引き出し１１の折り曲げ部１１４の頂面に当接され、ハンドル２０の第１のフック部２１１と第２のフック部２２１とが引き出し１１の結合部１１３上にそれぞれ当接され、複数のリベット４０が引き出し１１の結合部１１３内に対応し、内から外側へ向かって第１の固定片２１のカシメ固定孔２３へ挿通されて螺着され、第１のフック部２１１及び第２のフック部２２１が各リベット４０に係止されてカシメ固定孔２３に位置決めされる（図４及び図５参照）。上述したことから分かるように、本考案の嵌合式引き出しハンドル構造は、構造が簡素で、容易に組立てることができる長所を有し、各部品を確実かつ速やかに結合させることができる。
【００１２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１３】
１０  工具用キャビネット
１１  引き出し
１２  スライドレール
２０  ハンドル
２１  第１の固定片
２２  第２の固定片
２３  カシメ固定孔
２４  第１のストッパ部
２５  第２のストッパ部
２６  位置決め孔
３０  保護パッド
３１  被覆面
３２  くりぬき部
３３  第１の挟持部
３４  位置決め凸部
３５  第２の挟持部
４０  リベット
１０１  内壁面
１１１  前板
１１２  側板
１１３  結合部
１１４  折り曲げ部
１１５  後板
１１６  底板
２１１  第１のフック部
２２１  第２のフック部
３３１  第１の係合部
３５１  第２の係合部
【図１】
0003196051.tif 000003
【図２】
0003196051.tif 000004
【図３】
0003196051.tif 000005
【図４】
0003196051.tif 000006
【図５】
0003196051.tif 000007
【図６】
0003196051.tif 000008
【図７】
0003196051.tif 000009
【図８】
0003196051.tif 000010
【図９】
0003196051.tif 000011
【図１０】
0003196051.tif 000012